(57)【要約】【課題】容器本体後部へ枢着させて容器本体開口を開閉自在に閉塞する蓋体を、蓋体前方部分へ枢着させた押釦の揺動で開放可能とした蓋体付き容器において、その押釦にロック機構を設けて、幼児等が悪戯で開蓋できないよう設けた。【解決手段】上記押釦41を後方への押込み、および前方への前進摺動が可能に形成して、後方押込み状態では、押釦41前後方向への摺動が不能となり、従って押釦後部上昇による蓋体21前部押上げによる開蓋が不能となり、前進時にだけ押釦揺動により蓋体前部を押上げての開蓋が可能とした。【選択図】図１
2006182434.tif 000002
【特許請求の範囲】
【請求項１】
容器本体１後部に回動自在に連結されて、容器本体の上面開口３を開閉自在に閉塞する蓋体21前方の容器本体部分へ押釦41を前後方向への揺動が自在に枢着させ、該押釦前部の押下げによる枢着部を中心とする揺動で押釦後部が蓋体前部を押上げて開蓋可能とした蓋体付き容器において、
容器本体１に対して押釦41が後方および前方へ摺動可能に設け、後方摺動時には上記枢着部を中心とする揺動が不能に、かつ前方引出し時にだけその揺動が可能に形成した
ことを特徴とする蓋体付き容器。
【請求項２】
上記蓋体21前部の後方寄り部分から透孔25付き係止板26を垂下させると共に押釦41の後面から上記透孔25へ入、出する爪板46を突出させ、
上記押釦後方摺動時には透孔内へ爪板後部が上下方向への揺動が不能に嵌合し、かつ前方摺動時には抜出して該透孔前方の蓋体21前部下面へ係合可能に形成した
ことを特徴とする請求項１記載の蓋体付き容器。
【請求項３】
上記押釦41の前端部から指掛け突条44を起立した
ことを特徴とする請求項１又は２記載の蓋体付き容器。
【請求項４】
上記押釦41の前部下面から、該押釦室の底面へ当接させて板バネ49を垂下させ、上記前部押下げによる傾斜状態から押釦41が弾性復帰可能に形成した
ことを特徴とする請求項１、２又は３記載の蓋体付き容器。
【発明の詳細な説明】
【技術分野】
【０００１】
本発明は蓋体付き容器に関する。
【背景技術】
【０００２】
ウエットティッシュ等収納容器としての蓋体付き容器が知られており、その蓋体の開閉を、蓋体前方の容器本体部分へ枢着させた押釦前部を押下げすると、該押釦後部が蓋体前部を押上げて開蓋し、又蓋体前部押下げで蓋体前部から垂下するフックが容器本体が有する係合突条下面へ係合して蓋体閉塞状態を保つよう設けている（特許文献１）。
【特許文献１】特開２０００- ２１１６６１号公報
【発明の開示】
【発明が解決しようとする課題】
【０００３】
上記従来容器は、押釦押下げによって容易に開蓋できるから、幼児であっても容易に開蓋でき、そのため容器体内収納物を無駄に使用することがあり、又その収納物が薬品等であれば、身体的危険も生ずるおそれがある。
【０００４】
本発明は上記押釦にロック装置を設けて幼児等にとっては開け難く、又大人にとっては容易に開蓋できるようにしたものである。
【課題を解決するための手段】
【０００５】
第１の手段として容器本体１後部に回動自在に連結されて、容器本体の上面開口３を開閉自在に閉塞する蓋体21前方の容器本体部分へ押釦41を前後方向への揺動が自在に枢着させ、該押釦前部の押下げによる枢着部を中心とする揺動で押釦後部が蓋体前部を押上げて開蓋可能とした蓋体付き容器において、
容器本体１に対して押釦41が後方および前方へ摺動可能に設け、後方摺動時には上記枢着部を中心とする揺動が不能に、かつ前方引出し時にだけその揺動が可能に形成した。
【０００６】
第２の手段として、上記第１の手段を有し、かつ上記蓋体21前部の後方寄り部分から透孔25付き係止板26を垂下させると共に押釦41の後面から上記透孔25へ入、出する爪板46を突出させ、
上記押釦後方摺動時には透孔内へ爪板後部が上下方向への揺動が不能に嵌合し、かつ前方摺動時には抜出して該透孔前方の蓋体21前部下面へ係合可能に形成した。
【０００７】
第３の手段として、上記第１又は第２の手段を有すると共に上記押釦41の前端部から指掛け突条44を起立した。
【０００８】
第４の手段として、上記第１、第２、又は第３の手段を有し、かつ上記押釦41の前部下面から、該押釦室の底面へ当接させて板バネ49を垂下させ、上記前部押下げによる傾斜状態から押釦41が弾性復帰可能に形成した。
【発明の効果】
【０００９】
請求項１記載の構成とすることで、押釦41のロック、又その解除が容易である。
【００１０】
請求項２のようにすることで、上記押釦のロックを確実とすることが出来る。
【００１１】
請求項３のようにすることで、押釦の押込み、又引出しを容易に行うことが出来る。
【００１２】
請求項４のようにすることで、前部押下げにより傾いた押釦の弾性復帰が容易となる。
【発明を実施するための最良の形態】
【００１３】
以下図面について説明すると、１は容器本体で、頂壁２中央部を開口３し、周壁４の下端面は底蓋５で閉塞としている。該容器本体頂壁後部（図右方）の左右方向中間部から前方へ前部を巾狭とした第１凹部６が穿設させてあり、該第１凹部の中央部に上記開口３を有する第２凹部７を、又第１凹部の前部に後述押釦室としての第３凹部８を、第１凹部の後部に第４凹部９を、それぞれ形成している。第２凹部と第３凹部との間には間隙を設け、第３凹部８後壁の左右方向中間部からは第１フック10を起立する。又第３凹部８の左右両側壁内面へは、横長の軸穴11を穿設している。
【００１４】
上記第１凹部６の前部を除く部分を蓋体21で閉塞する。該蓋体は図２が示すように後部の左右両側からピン22を左右外方へ突設して、これ等ピンを第１凹部後方左右両側に設けた軸穴内へ嵌合させ、又第２凹部７の内壁面へ嵌合させてシール壁23を垂下し、蓋体前端縁からは、第３凹部８の後部内へ縁突条24を、該縁突条の左右方向中間部の下面後半部からは透孔25を有する係止板26を、それぞれ垂下し、更に縁突条後方の蓋板部分から既述第１フック10と係合して蓋体閉塞状態を保持させる第２フック27を垂下している。
【００１５】
図示例にあっては蓋体後縁の左右方向中間部からヒンジ28を介して突出させた係止板29を、該係止板と蓋体後部下面との間へ、上下逆向き凹字形状に設けた板バネ30の連結板部を挟み、かつ係止板基部を板バネの平行な脚状板部31で跨がせ、第４凹部９内へ脚状板部31を突出させた状態で折返して、蓋体後部下面へ設けた嵌合部内へ嵌着させており、開蓋状態から既述ピン22を中心として閉蓋方向へ蓋体21を回動させると、板バネ30が図１のように弾性弯曲されるよう設けている。
【００１６】
既述第３凹部８内へは、押釦41を前後方向への摺動が可能に、かつ後方移動状態にあっては、軸板42を中心として前後方向への摺動が可能に設ける。該押釦は、図２が示すように前縁は曲率半径の小さな円弧状に、かつ後縁は曲率半径の大きい円弧状に形成した上板43を有し、その上板の前部上面へは凹部を設けることで該凹部前方の上板部分を指掛け突条44に形成し、又上板後縁からは側板45を垂下させて、該側板下端から爪板46を前方突出させ、側板45との間に間隙をおいて基板47を垂下し、該基板下端へヒンジ48を介して既述軸穴11内へ両端部を挿入させた軸板42を付設し、更に上記凹部後端の下面部からは斜下前方へ板バネ49を突設して該板バネの前端部下面を第４凹部９底面前部へ当接させている。    
【００１７】
該押釦は、上記指掛け突条44前面を後方へ押込むことで軸板42が軸穴11内を後方へ摺動して図１が示すように爪板46が透孔25内へ嵌合し、又指掛け突条44を前方へ摺動させることで、このとき爪板46後部は図５のように透孔25から抜出して縁突条24の下面前部へ係合する。該押釦前限位置で押釦は板バネ49の弾性に抗して上板43前部を押下げでき、するとヒンジ48が屈折することで爪板46は蓋板の前端部下面としての縁突条24の下面前部を押上げして既述第１、第２フック10,27 の係合を外し、すると蓋板後部下方の図１が示す板バネ30が弾性復元して自動的に開蓋する。該開蓋状態から蓋体前部を押下げすると、上記第１、第２フックが係合して閉蓋されると共に図５が示すように縁突条24の前部下面へ爪板46の後部上面が接する。該図５の状態から押釦41を後方へ押込むと、軸板42が軸穴11内を前進して、爪板後部が透孔25内へ、図１が示すように嵌合し、該位置での押釦前部押下げを不能とし、よって開蓋も不能となる。
【００１８】
尚上記実施形態にあっては、押釦後方押込みで爪板46後部が透孔25内へ入って該押釦の揺動が不能となるようにしたが、押釦後方押込み時に爪板後端部が、容器本体上面から起立する板上部前面へ設けた突条下面等へ係合してその上昇が不能となるよう設けてもよく、要するに押釦後方押込み時には、押釦前部を下方へ押しても、爪板46後部が上昇不能となるよう設ければよい。又既述軸板42に代えて基板47下端に軸棒を付設することも考えられる。この場合は基板下端と軸棒との間のヒンジは不要となる。
【図面の簡単な説明】
【００１９】
【図１】本発明容器を一部切欠いて示す側面図である。
【図２】図１容器の平面図である。
【図３】図１容器の要部を切欠いて示す斜視図である。
【図４】図３要部を押釦ロック解放状態で示す斜視図である。
【図５】図４要部の断面図である。
【符号の説明】
【００２０】
１  容器本体                        10  第１フック
11  軸穴                            21  蓋体
22  ピン                            24  縁突条
25  透孔                            26  係止板
27  第２フック                      29  係止板
41  押釦                            42  軸板
43  上板                            45  側板
46  爪板                            47  基板
48  ヒンジ                          49  板バネ
【図１】
2006182434.tif 000003
【図２】
2006182434.tif 000004
【図３】
2006182434.tif 000005
【図４】
2006182434.tif 000006
【図５】
2006182434.tif 000007